(57)【特許請求の範囲】
【請求項１】
実験済みの放射性汚染動物の体液や血液あるいは糞尿などの飛散を防止すべく、ドライパックに収納されると共に、ステンレス製網状かごに挿入されて設置される載置台を備え、かつ上記放射性汚染動物に対し天井側から中央部と左右部方向より８〜１５ミクロン前後の波帯域の遠赤外線が放射される遠赤外線放射体を備た放射性汚染動物の脱水・乾燥において、
処理すべき放射性汚染動物の重量別または冷凍・非冷凍別あるいはそのいずれか一方の種別に基づいて脱水・乾燥の目標値を達成するシーケンス・プログラムを作成し、これをパターン別に表示してなる処理操作マニアルを備えるとともに、動作の開始により経過時間をカウントするカウント手段と、上記処理換作マニアルにおけるパターン番号などの指令を入力する入力手段と、上記処理操作マニアルにおけるパターン別のシーケンス・プログラムを記憶してなる第１記憶部と、演算手段により演算された残存シーケンス・プログラムを随時記憶する第２記憶部と、ヒ一夕の常温から急峻な加熱上昇を指令する第３記憶部とよりなるメモリ手段と、上記装置の各部を統括し指令する制御手段とを具備し、
上記載置台の下面側であって上記乾燥室の外側に取り替え可能に配置され、上記装置の再作動時に常温状態より急峻な加熱上昇状態などを指令する上記メモリ手段の第３記憶部と接続されるヒ一夕を備えたことを特徴とする汚染動物の脱水・乾燥装置。
【発明の詳細な説明】
【技術分野】
【０００１】  この発明は、装置を断続的に作動させた場合でも、脱水・乾燥処理を容易かつ高精度に行うことができる汚染動物の脱水・乾燥装置に関するものである。
【背景技術】
【０００２】  従来、ラットなど実験に用いられた汚染動物の脱水・乾燥装置として、マイクロ加熱乾燥方式や真空凍結乾燥方式などがあるが、近年では、より高い精度の汚染動物の脱水・乾燥を行うべく遠赤外線放射方式によるものが主流となりつつある。【０００３】  マイクロ加熱乾燥方式よるものには、例えば、特許文献１に開示されたものなどがある。
これは、マイクロ波を使用するため比較的に加熱乾燥処理時間は速いが、被処理物中に金属片やピンなどが混入していると焦げた状態となり効率のよい乾燥処理が行えないなどの問題がある。さらに、悪臭がひどいなどの問題を有しており、また、マイクロ波を用いるための認可などの手続に手間がかかるなどの問題もある。【０００４】  一方、真空凍結乾燥方式では、乾燥処理時間が、例えば２キログラム程度のものでも約１週間から１ヶ月と長くかかり、さらに減圧するロータリー真空ポンプのオイルなどに二次汚染物が発生するなどの問題を有している。【０００５】  このため、近年では、特許文献２に開示されたような遠赤外線放射方式、すなわち汚染動物の体内に深達する波帯域の遠赤外線（８〜１５ミクロン前後の波帯域の遠赤外線）を放射し、時間的にも効率的にも優れた遠赤外線放射方式のものが主流となっている。
【先行技術文献】
【特許文献】
【０００６】
【特許文献１】  特開平０６−３３１２６８号
【特許文献２】  特許第３４４８３１５号
【発明の概要】
【発明が解決しようとする課題】
【０００７】  しかして、特に、実験などに供された放射性汚染動物の脱水・乾燥処理にあっては、厳しい規定が伴うために脱水・乾燥処理に際しては初期重量の約７０％の脱水・乾燥が目標値とされており、装置自体も稼働開始と同時に目標値の脱水・乾燥処理を行うよう指令が働き、目標値の脱水・乾燥へ向けて各種の制御をシーケンス的に行いつつ作動して行くように構成されている。【０００８】  しかしながら、目標値の脱水・乾燥を達成するまでには、必ずしも装置を始動から連続運転して作動させる場合だけでなく、断続的に装置を作動させる場合、すなわち装置の作動途中で脱水・乾燥処理を一時停止したい場合も多々ある。一時停止後の再作動の際には、例えば、装置が予め与えられている初期重量の約７０％の脱水・乾燥を目標値として再作動すると、被処理物は必要以上に脱水・乾燥されてしまい、黒焦げの状態となってしまうなどの不具合があり、装置をどのような条件下で脱水・乾燥処理を行なわせるかが難しい問題となっている。【０００９】  したがって、一連の脱水・乾燥処理後であれ、一時停止後の再作動であれ、ヒータの温度は常温時に近似することとなるので、その管理を制御することがよりより一層ヒータの立ち上がり時間の管理を制御することができることに着目し、悪臭の漏れや周囲への二次汚染などの防止を図りつつ、効率よく高精度な目標値の脱水・乾燥を行えるものの開発が要請されている。【００１０】  すなわち、シーケンス・プログラムに基づいて装置を始動から連続運転して作動させること、脱水・乾燥途中において一時停止がなされた場合でもその残存シーケンス・プログラムに基づいて装置の再作動を行うこと、ヒータの温度が常温状態であっても急峻にその立ち上げを行いうることなどの管理が必要であった。【００１１】  この発明は、上記のような事情に鑑みてなされたものであり、その目的とするところは、放射性汚染動物に対する高精度な脱水・乾燥処理をヒータ温度状態によっても管理し得る容易かつ高精度な汚染動物の脱水・乾燥装置を提供することにある。
【課題を解決するための手段】
【００１２】  この発明は、上記のような目的を達成するために、請求項１記載のように、実験済みの放射性汚染動物の体液や血液あるいは糞尿などの飛散を防止すべく、ドライパックに収納されると共に、ステンレス製網状かごに挿入されて設置される載置台を備え、かつ上記放射性汚染動物に対し天井側から中央部と左右部方向より８〜１５ミクロン前後の波帯域の遠赤外線が放射される遠赤外線放射体を備た放射性汚染動物の脱水・乾燥において、処理すべき放射性汚染動物の重量別または冷凍・非冷凍別あるいはそのいずれか一方の種別に基づいて脱水・乾燥の目標値を達成するシーケンス・プログラムを作成し、これをパターン別に表示してなる処理操作マニアルを備えるとともに、動作の開始により経過時間をカウントするカウント手段と、上記処理換作マニアルにおけるパターン番号などの指令を入力する入力手段と、上記処理操作マニアルにおけるパターン別のシーケンス・プログラムを記憶してなる第１記憶部と、演算手段により演算された残存シーケンス・プログラムを随時記憶する第２記憶部と、ヒ一夕の常温から急峻な加熱上昇を指令する第３記憶部とよりなるメモリ手段と、上記装置の各部を統括し指令する制御手段とを具備し、上記載置台の下面側であって上記乾燥室の外側に取り替え可能に配置され、上記装置の再作動時に常温状態より急峻な加熱上昇状態などを指令する上記メモリ手段の第３記憶部と接続されるヒ一夕を備えたことを特徴とする。
【発明の効果】
【００１３】  この発明によれば、特に装置の作動時や装置を途中で止めた再作動時でも、メモリ手段に備わった急峻な加熱温度の上昇のデータに基づく指令により、ヒータを作動されることが可能となるので、より一層の高精度な汚染動物の脱水・乾燥を容易に行うことができる。
【図面の簡単な説明】
【００１４】
【図１】この発明に係る脱水・乾燥装置の正面図である。
【図２】この発明に係る乾燥室の説明図である。
【図３】この発明に係る脱水・乾燥装置の循環系図である。
【図４】この発明に係るシーケンス制御動作を行うためのブロック図である。
【発明を実施するための最良の形態】
【００１５】  以下、この発明の実施例を図面に基づき詳細に説明する。
装置本体１の内部の乾燥室２内には、図２に示すように、ラットなど実験済みの放射性同位元素（ＲＩ）で汚染された動物を収納する。なお、１ａは開閉可能な扉である。載置台３の上部には、汚染動物の体内に深達する波帯域の遠赤外線（８〜１５ミクロン前後の波帯域の遠赤外線）を放射する遠赤外線放射体６によって脱水・乾燥処理を行うものである。【００１６】  赤外線放射体６は、床面側に配置されている載置台３に向けて効率よく遠赤外線の放射が行えるように、例えば、載置台３に平行に対向する中央部分と傾斜する左右部分とによって形成し、３方向から載置台３に向けて遠赤外線の放射を行うように構成する。【００１７】  射性汚染動物は、ドライパック４に収納された上でステンレス製の網状かご５に挿入され、乾燥台３上に載置されて脱水・乾燥処理されるため、滲み出る体液や血液あるいは糞尿などは乾燥室２内に滞留することがない。また、ドライパック４に収納したまま被処理物に触れずに廃棄することができるので、操作勝手がよい。【００１８】  載置台３の下部側にはヒータ７が設けけられており、脱水・乾燥処理を行う放射性汚染動物の乾燥を促進するために、乾燥室２の外側に取り替え可能に設置されている。また、この乾燥室２内にはシーケンス用の制御手段（図３参照）に接続する温度センサ８が設けられている。【００１９】  装置１の循環系を図３に示す。６０は熱交換器であり、適当間隔を隔てて上下方向に連続するパイプ６１・・・と気液分離を図る空間部６２とにより構成され、熱交換器６０の始端側と終端側からは循環路６３，６４が引出され、この循環路６３，６４は冷凍機７６の冷媒により冷却される熱交換器７７に接続されている。【００２０】  パイプ６１・・・と循環路６３，６４にはクーラントが循環されて熱交換器６０を冷却し、乾燥室２から排気路６５，６６を介して排気された冷却気体分を気液分離し、分離された凝縮水は排水槽６７より開閉弁６８を有する排水路６９を介して廃棄処分される。【００２１】  凝縮水が分離された後の冷却気体分は、熱交換器６０の空間部から排気路７０へ送気される。この排気路７０は、外部への放出路７１と乾燥室２内への還流路７２とに分岐され、還流路７２は扉７３内を挿通し扉７３を冷却した後に乾燥室２内へと連通される。【００２２】  放出路７１の開閉弁７４を、脱水・乾燥時に閉状態とした場合には、乾燥室２内から排気される蒸発気体分を熱交換器６０へ排気して気液分離し、その後の冷却気体分を排気路７０から還流路７２を介して乾燥室２へ戻す閉ループの循環系を形成する。【００２３】  また、この開閉弁７４を開扉時などに開状態とした場合には、気液分離後の気体分は排気路７０から外部へ放出される開ループの循環系を形成し、これにより乾燥室２内の蒸発気体分を乾燥室２内より吸引し、開扉に伴い蒸発気体分が外部へ散逸するのを防止する。なお、７５は循環ポンプであり、７６は排気ブロアである。【００２４】  次に、図４に基づいて装置のシーケンス動作について説明する。図示は省略をするが、装置の脱水・乾燥能力に基づいて処理する放射性汚染動物の重量別に、脱水・乾燥の目標値、例えば初期重量の７０％を達成するシーケンス・プログラムを作成し、これをパターン別に表示してなる処理操作マニアルを準備する。【００２５】  制御手段１００は、後述する装置の各手段を統括する。また、タイマー手段１０１は、作動開始により経過時間をカウントするカウント手段である。入力手段１０２は、処理操作マニアルにおけるパターン番号などの指令を入力する。メモリ手段１０３は、処理操作マニアルにおけるパターン別のシーケンス・プログラムを記憶してなる第１記憶部１０４を備えている。また、演算手段１０７により演算された残存シーケンス・プログラムを随時記憶する第２記憶部１０５を備えている。また、ヒータの常温から急峻な加熱上昇を指令する第３記憶部１０６を備えている。演算手段１０７は、脱水・乾燥途中における一時停止がなされた場合に、カウント手段１０１における経過時間に基づいて残存シーケンス・プログラムなどやヒータからの常温などに基づいて演算する。駆動指令手段１０８は、制御手段からの指令により装置の各作動部に動作信号を出力する。【００２６】  まず、図示しないがスイッチがオンされて装置が作動開始状態とされると、脱水・乾燥処理の目標値を達成すべく放射性汚染動物の主に重量に基づいて、処理操作マニアルより該当するパターン番号を選択する。【００２７】  そして、このパターン番号を入力手段１０２を介してインプットすれば、制御手段１００の指令により第１記憶部１０４のシーケンス・プログラムに基づき、装置は目標値を達成すべく脱水・乾燥処理の自動制御動作を連続して行う。【００２８】  また、作動の一時停止を行った場合には、第２記憶部１０５に演算された残存シーケンス・プログラムが随時記憶される。そして、再作動が開始されると制御手段１００の指令により第２記憶部１０５における残存シーケンス・プログラムに基づき、装置は目標値を達成すべく残りの脱水・乾燥処理の自動制御動作を継続する。【００２９】  脱水・乾燥処理の動作中には、冷凍機７７，熱交換器６０により熱交換器６０の各パイプ６１・・・が冷却され、また遠赤外線放射体６からは８〜１５ミクロン前後の遠赤外線が乾燥台３に向けて放射され、かつ乾燥台３はヒータ７により加熱される。【００３０】  また、乾燥室２内の蒸発気体分は排気路６５，６６より熱交換器６０へと排気され、乾燥室２内は負圧とされる。熱交換器６０で気液分離された後の冷却気体分は排気路７１を介して装置の外部へと送流されるのであるが、動作中に放出路７０を開閉弁７４によって閉状態とした場合には、装置は閉ループの循環系とされ冷却気体分は還流路７２へ向かうこととなる。【００３１】  この場合には、冷却気体分は扉２ａを冷却しつつあるいは直接的に乾燥室２内に戻され、循環再活用される。また、排気路７０のブロア７６が作動し、かつ放出路３３の開閉弁７４が開状態とされた場合には、装置は開ループの循環系となり、乾燥室２内の蒸発気体分は外部への放出路７１へと吸引され、開扉時においても蒸発気体分が外部に流出し散逸することはない。【００３２】  これら一連の動作は、温度センサ８からの検出値などに基づいてシーケンス制御手段１００により自動制御されつつ行われる。【００３３】  なお、処理操作マニアルとメモリ手段１０３における第１記憶部１０４のシーケンス・プログラムは、放射性汚染動物の重量別とともに、冷凍・非冷凍別や放射性汚染動物の種別などに基づいて脱水・乾燥の目標値を達成するシーケンス・プログラムを作成し、さらに高精度な脱水・乾燥処理を行うようにしてもよい。
【符号の説明】
【００３４】
【符号の説明】１      装置本体
２      乾燥室
３      載置台
４      ドライパック
５      網状かご
６      遠赤外線放射体
７      ヒータ
８      温度センサ
６０    熱交換器
１００  制御手段
１０１  タイマー手段
１０２  入力手段
１０３  メモリ手段
１０４  第１記憶部
１０５  第２記憶部
１０６  第３記憶部
１０７  演算手段
１０８  駆動指令手段
【要約】      （修正有）【課題】放射性汚染動物に対する高精度な脱水・乾燥処理をヒータ温度状態によっても管理し得る容易かつ高精度な汚染動物の脱水・乾燥装置の提供。【解決手段】ラットなどの実験済み放射性汚染動物に８〜１５ミクロン前後の波帯域の遠赤外線を放射し、載置台上で脱水・乾燥処理を行なう装置であって、上記載置台の下面側の上記装置本体の外側に配置され、上記装置本体の再作動時に常温状態より急峻な加熱上昇状態などを指令するメモリ手段と接続されるヒータを備える。【選択図】図４【図１】
0005975362.tif 000002
【図２】
0005975362.tif 000003
【図３】
0005975362.tif 000004
【図４】
0005975362.tif 000005